(57)【要約】【課題】プラズマディスプレイ装置などの平板型画像表示装置において、複数種類の画像信号に対応してより柔軟に対応可能な信号入力端子構造を備えた装置を提供する。【解決手段】平板型の表示パネルに信号を印加して表示を行う表示駆動回路ブロックと、この表示駆動回路ブロックと画像信号を出力する外部機器との間に接続されかつ画像信号に対応して交換可能なボードブロックを有する入力信号回路ブロックと、前記表示駆動回路ブロックおよび入力信号回路ブロックに駆動電圧を供給する電源回路ブロックとを有し、前記ボードブロックの回路ボード３８のメモリ部３９から送られる電圧供給信号のデータによりボードブロックへの電圧供給を行う電源回路ブロックのボード電源部４０の動作を制御するように構成した。【選択図】  図７
2004361691.tif 000002
【特許請求の範囲】
【請求項１】
平板型の表示パネルと、この表示パネルに信号を印加して表示を行う表示駆動回路ブロックと、この表示駆動回路ブロックと画像信号を出力する外部機器との間に接続されかつ画像信号に対応して交換可能なボードブロックを有する入力信号回路ブロックと、前記表示駆動回路ブロックおよび入力信号回路ブロックに駆動電圧を供給する電源回路ブロックとを有し、前記電源回路ブロックは、前記ボードブロックから送られる電圧供給信号によりボードブロックへの電圧供給を制御するように構成したことを特徴とする平板型画像表示装置。
【請求項２】
電源回路ブロックにボードブロックに電圧を供給するボード電源部を設け、そのボード電源部は前記ボードブロックから送られる電圧供給信号によりボードブロックへの電圧供給を制御するように構成したことを特徴とする請求項１に記載の平板型画像表示装置。
【請求項３】
ボードブロックは、入力信号回路ブロックに装着することにより電圧供給信号を表示駆動回路ブロックに送る情報を書き込んだメモリ部を備えたことを特徴とする請求項１に記載の平板型画像表示装置。
【発明の詳細な説明】
【０００１】
【発明の属する技術分野】
本発明は、大画面で、薄型、軽量のディスプレイ装置として知られているプラズマディスプレイ装置などの平板型画像表示装置に関するものである。
【０００２】
【従来の技術】
プラズマディスプレイ装置は、液晶パネルに比べて高速の表示が可能であり、視野角が広いこと、大型化が容易であること、自発光型であるため表示品質が高いことなどの理由から、平板型画像表示装置の中で最近特に注目を集めており、多くの人が集まる場所での表示装置や家庭で大画面の映像を楽しむための表示装置として各種の用途に使用されている。
【０００３】
一方、プラズマディスプレイ装置は大形の表示装置として各種の用途に使用されることから、信号入力端子構造には、パーソナルコンピュータ、テレビジョンチューナ、ビデオなどの各種の情報信号を含む画像信号を出力する外部機器と接続可能な構成が要求される。
【０００４】
このためプラズマディスプレイ装置においては、必然的に多くの外部信号発生源に接続できるように各種の信号入力端子が設けられているが、一般のユーザー側からすれば、全ての信号入力端子を使用するような使い方は少なく、ほとんどが特定の外部機器のみを接続して使用するため、各種の機器に対応できるように設置された各種の信号入力端子の一部は不要になることがある。
【０００５】
また、ユーザーに応じた信号入力端子を有する複数種類のプラズマディスプレイ装置を製造すればよいが、上述のように各種の用途に使用されるプラズマディスプレイ装置においては、多品種の製品を生産しなければならなくなり、生産効率が悪くなってしまう。
【０００６】
そこで、ユーザーの利用目的に応じた信号入力端子構造を備えたプラズマディスプレイ装置として、特許文献１に示すように、信号入力端子部分を交換可能としたものが考えられ、特許出願されている。
【０００７】
【特許文献１】
特開２００３−１０８０２６号公報
【０００８】
【発明が解決しようとする課題】
ところで、このようなプラズマディスプレイ装置においては、通常の電子機器と同様に、ＡＣ電源コードを商用の交流電源に接続すると、機器を制御するマイクロコンピュータ（以下、マイコンという）に電圧を供給する待機用電源が動作を開始し、そして主電源スイッチをオンにすることで、マイコンに電圧が供給されてスタンバイ状態となり、リモコンなどにより主電源回路のリレーをオンオフして機器を表示駆動させることが可能な状態になる。すなわち、リレーがオフの状態が一般的なセットの待機状態であり、リレーをオンにすると、電源回路のＡＣ−ＤＣコンバータが動作を開始し、例えばプラズマディスプレイ装置の場合、パネル駆動に必要な電圧や交換可能な入力信号回路ブロックの回路ボードに必要な電圧を供給するように構成されている。
【０００９】
しかし、このような構成では、アナログ・ディジタル分野の様々な映像ソースに対応する回路ボードばかりでなく、ＬＡＮ等の通信機能をもつＰＣボードなど多種多様な機能を持つ回路ボードに対応するには、次のような課題があった。すなわち、ＬＡＮ等の通信機能を持つ回路ボードは、セットが待機状態でも通信ができるように電源供給をする必要があり、また比較的電力を必要とするＰＣボードや複数の回路ボードに対応するには数十Ｗ程度の容量が必要なことで、これを待機用電源で対応するには、待機電力の増加などの課題が発生する。
【００１０】
本発明はこのようなプラズマディスプレイ装置などの平板型画像表示装置において、複数種類の画像信号に対応してより柔軟に対応可能な信号入力端子構造を備えた装置を簡単に提供できるようにすることを目的とするものである。
【００１１】
【課題を解決するための手段】
上記目的を達成するために本発明は、平板型の表示パネルに信号を印加して表示を行う表示駆動回路ブロックと、この表示駆動回路ブロックと画像信号を出力する外部機器との間に接続されかつ画像信号に対応して交換可能なボードブロックを有する入力信号回路ブロックと、前記表示駆動回路ブロックおよび入力信号回路ブロックに駆動電圧を供給する電源回路ブロックとを有し、前記電源回路ブロックは、前記ボードブロックから送られる電圧供給信号によりボードブロックへの電圧供給を制御するように構成したものである。
【００１２】
これにより、待機電圧を必要とするボードブロックが装着された場合のみ、電圧を供給することで、通常の待機用電源の電力を上げることなく、多種多様な機能のボードブロックに対応することができる。
【００１３】
【発明の実施の形態】
すなわち、本発明の請求項１記載の発明は、平板型の表示パネルと、この表示パネルに信号を印加して表示を行う表示駆動回路ブロックと、この表示駆動回路ブロックと画像信号を出力する外部機器との間に接続されかつ画像信号に対応して交換可能なボードブロックを有する入力信号回路ブロックと、前記表示駆動回路ブロックおよび入力信号回路ブロックに駆動電圧を供給する電源回路ブロックとを有し、前記電源回路ブロックは、前記ボードブロックから送られる電圧供給信号によりボードブロックへの電圧供給を制御するように構成したものである。
【００１４】
また、請求項２に記載の発明は、電源回路ブロックにボードブロックに電圧を供給するボード電源部を設け、そのボード電源部は前記ボードブロックから送られる電圧供給信号によりボードブロックへの電圧供給を制御するように構成したことを特徴とする。
【００１５】
さらに、請求項３に記載の発明は、ボードブロックは、入力信号回路ブロックに装着することにより電圧供給信号を表示駆動回路ブロックに送る情報データを書き込んだメモリ部を備えたことを特徴とする。
【００１６】
以下、本発明の一実施の形態による平板型画像表示装置について、プラズマディスプレイ装置を例に図１〜図８を用いて説明するが、本発明の実施の態様はこれに限定されるものではない。
【００１７】
まず、プラズマディスプレイ装置について図１を用いて説明する。図１において、平板型の表示パネル１を収容する筐体は、前面枠２と金属製のバックカバー３とから構成され、前面枠２の開口部には光学フィルターおよび表示パネル１の保護を兼ねたガラス等からなる前面カバー４が配置されている。また、この前面カバー４には電磁波の不要輻射を抑制するために、例えば銀蒸着が施されている。さらに、バックカバー３には、表示パネル１等で発生した熱を外部に放出するための複数の通気孔３ａが設けられている。
【００１８】
前記表示パネル１は、アルミニウム等からなるシャーシ部材５の前面に熱伝導シート６を介して接着することにより保持され、そしてシャーシ部材５の後面側には、表示パネル１を表示駆動させるための複数の回路ブロック７が取付けられている。前記熱伝導シート６は、表示パネル１で発生した熱をシャーシ部材５に効率よく伝え、放熱を行うためのものである。また、回路ブロック７は表示パネル１の表示駆動とその制御を行うための電気回路を備えており、表示パネル１の縁部に引き出された電極引出部に、シャーシ部材５の四辺の縁部を越えて延びる複数のフレキシブル配線板（図示せず）によって電気的に接続されている。
【００１９】
また、シャーシ部材５の後面には、回路ブロック７を取り付けたり、バックカバー３を固定するためのボス部７ａがダイカスト等による一体成型により突設されている。なお、このシャーシ部材５は、アルミニウム平板に固定ピンで固定して構成してもよい。
【００２０】
図２はこのような構成のプラズマディスプレイ装置において、バックカバー３を外して内部の配置構造を示す平面図であり、図２においてスキャンドライバ回路ブロック１０は表示パネル１のスキャン電極に所定の信号電圧を供給し、サステインドライバ回路ブロック１１は表示パネル１のサステイン電極に所定の信号電圧を供給し、アドレスドライバ回路ブロック１２は表示パネル１のアドレス電極に所定の信号電圧を供給するもので、スキャンドライバ回路ブロック１０、サステインドライバ回路ブロック１１はシャーシ部材５の幅方向の両端部にそれぞれ配置され、またアドレスドライバ回路ブロック１２はシャーシ部材５の高さ方向の上端部および下端部に配置されている。
【００２１】
制御回路ブロック１３は、テレビジョンチューナ、パーソナルコンピュータ等の外部機器に接続するための接続ケーブルが着脱可能に接続される入力端子部を備えた入力信号回路ブロック１４から送られる画像信号に基づき、画像データを表示パネル１の画素数に応じた画像データ信号に変換してアドレスドライバ回路ブロック１２に供給すると共に、放電制御タイミング信号を発生し、各々スキャンドライバ回路ブロック１０およびサステインドライバ回路ブロック１１に供給し、階調制御等の表示駆動制御を行うもので、シャーシ部材５のほぼ中央部に配置されている。
【００２２】
電源回路ブロック１５は、前記各回路ブロックに電圧を供給するもので、前記制御回路ブロック１３と同様、シャーシ部材５のほぼ中央部に配置され、ＡＣ電源コード（図示せず）が装着されるコネクタ１６を有する電源入力ブロック１７を通して商用電源電圧が供給される。
【００２３】
フレキシブル配線板１８は、表示パネル１のスキャン電極、サステイン電極の電極引出部とスキャンドライバ回路ブロック１０、サステインドライバ回路ブロック１１のプリント配線板とを接続し、フレキシブル配線板１９は表示パネル１のアドレス電極の電極引出部とアドレスドライバ回路ブロック１２のプリント配線板とを接続するもので、表示パネル１の外周部を通して、前面側より背面側に１８０度湾曲させて引き回して配置している。
【００２４】
図３〜図６に制御回路ブロック１３と入力信号回路ブロック１４の部分の構成を示しており、以下この部分について詳細に説明する。
【００２５】
制御回路ブロック１３の回路基板２０は、図５、図６に示すように、上述したような所定の制御回路を構成するマイクロコンピュータ、ドライバＩＣ、電気回路部品等が搭載されるもので、これにより制御回路ブロック１３が構成され、またこの制御回路ブロック１３の回路基板２０は、前記表示パネル１とほぼ平行になるようにシャーシ部材５にビス等により固定されている。また、この回路基板２０の端部には、信号入力用のコネクタ２１が配置されており、このコネクタ２１を通して入力信号回路ブロック１４から信号が入力される。
【００２６】
入力信号回路ブロック１４は、図３、図４に示すように、前記表示パネル１にほぼ平行となるようにシャーシ部材５に配置され、かつ筐体のバックカバー３より外部に開口するように設けた装着口２２ａを有するケース部材２２と、このケース部材２２に装着口２２ａより着脱可能に装着されかつケース部材２２に装着することにより前記制御回路ブロック１３のコネクタ２１に着脱可能に接続される信号出力用のコネクタ２３ａ、２４ａを備えるとともに外部機器に接続するための接続ケーブルが着脱可能に接続される入力端子部２３ｂ、２４ｂ（図では端子を省略している）を備えたボードブロック２３、２４とを有している。
【００２７】
また、ケース部材２２内には、別の外部機器に接続するための接続ケーブルが着脱可能に接続される入力端子を備えた別の入力信号ブロック（図示せず）が内蔵され、前記制御回路ブロック１３に常時接続されている。
【００２８】
前記ケース部材２２は、金属板を折り曲げ加工することにより構成されており、シャーシ部材５側の面には、シャーシ部材５にビスなどで取付けるための取付片２２ｂが任意の個所に一体に設けられ、またこのシャーシ部材５への取り付け面よりほぼ直角に立ち上がる面には、上述した装着口２２ａが設けられている。そして、ケース部材２２は、バックカバー３に設けた開口（図示せず）より装着口２２ａを外部に開口させた状態でシャーシ部材５に取付けられる。
【００２９】
また、このケース部材２２の内壁面には、前記装着口２２ａに対して直交する方向に延長されかつ金属板の折り曲げ加工により成形した突条のガイド部材２５が取付けられ、装着口２２ａよりボードブロック２３、２４をケース部材２２内に装着したときにボードブロック２３、２４を所定の位置に案内しながら位置決めしており、前記制御回路ブロック１３のコネクタ２１にボードブロック２３、２４のコネクタ２３ａ、２４ａが容易に挿入できるようにガイドしている。また、このガイド部材２５は、最小単位のボードブロック２３に対応するように、ケース部材２２の内壁面に一定の間隔で複数個（図示のものは３個）配設されている。
【００３０】
次に、ボードブロック２３、２４について説明すると、それぞれのボードブロック２３、２４は、入力信号回路を構成するＩＣや電気回路部品等の部品が搭載される回路基板２６、２７と、この回路基板２６、２７の上面に取付けられ前記入力信号回路を構成する部品を電磁的にシールドするとともに前記ケース部材２２の内壁面に取付けたガイド部材２５に嵌まり合う凹部によるガイド部２８ａを有するシールド板を兼ねた金属製のガイド板２８と、同じく回路基板２６、２７の下面に取付けられた前記入力信号回路を構成する部品を電磁的にシールドするシールド板２９とを備えている。また、前記ガイド板２８のガイド部２８ａは、ガイド板２８を成形加工して凹部を形成することにより設けられている。
【００３１】
すなわち、ボードブロック２３は最小単位の大きさで、ボードブロック２３には１個のガイド板２８が配設され、ボードブロック２４はボードブロック２３を２個結合した大きさで、ボードブロック２４には２個のガイド板２８が配設されている。
【００３２】
また、回路基板２６、２７の後面側には、コネクタ２３ａ、２４ａの端子を電気的に接続して固定することにより配置され、回路基板２６、２７の前面側には、回路基板２６、２７に電気的に接続された入力端子を配置した入力端子部２３ｂ、２４ｂが設けられ、また入力端子部２３ｂ、２４ｂにはＵ字金具３０が取付けられている。
【００３３】
次に、本発明を適用したプラズマディスプレイ装置における主要回路構成部分について、図７を用いて説明する。
【００３４】
図７は上記プラズマディスプレイ装置において、電源回路ブロック１５と入力信号回路ブロック１４の回路構成を示す図であり、図７において、３１はＡＣ電源コード、３２はフィルタ部、３３はリレー、３４はＡＣ−ＤＣコンバータ、３５は待機用電源部、３６は装置全体の動作を制御するマイコン、３７は主電源スイッチであり、ＡＣ電源コード３１を商用の交流電源に接続すると、待機用電源部３５が動作を開始し、電圧Ｖ２を出力する。
【００３５】
３８は上記ボードブロック２３、２４に搭載される信号処理用の回路ボードで、電圧供給信号の情報データを書き込んだＲＯＭなどのメモリ部３９が搭載されている。４０はこの回路ボード３８に電圧を供給するボード電源部で、電源回路ブロック１５に設けられ、リレー４１をオンオフすることにより交流電源が供給されるように構成されている。
【００３６】
ここで、上述のように、ＡＣ電源コード３１を商用の交流電源に接続すると、待機用電源部３５が動作を開始し、電圧Ｖ２を出力する。主電源スイッチ３７をオンすることで、マイコン３６に電圧Ｖ２が供給されてスタンバイ状態となり、リモコンによりリレー３３を駆動させることが可能な状態になる。リレー３３がオフの状態が一般的なセットの待機状態である。リレー３３をオンにすると、ＡＣ−ＤＣコンバータ３４が動作を開始し、パネル駆動に必要な電圧Ｖ１や回路ボード３８に必要な電圧Ｖ３を発生させる。
【００３７】
リレー３３がオフの待機状態では、ＡＣ−ＤＣコンバータ３４が動作を停止しているので、回路ボード３８には電圧Ｖ３は供給されない。しかし、回路ボード３８に設けられたメモリ部３９に機能待機用のボード電源部４０をオンさせる電圧供給信号の情報データが書き込まれている場合、その情報データをマイコン３６が判別し、リレー１１をオンさせ、ボード電源部４０を動作させる。ボード電源部４０は、回路ボード３８に出力電圧Ｖ４を供給する。また、この電圧は、リレー３３の状態に関係なく供給される。
【００３８】
この状態は普通の待機状態とは異なるので、例えば、セット本体前面部に設けたＬＥＤなどの表示ランプの点灯色を変えることにより、ボード電源部４０の動作状態を使用者に知らせることができる。図８に主電源スイッチ３７、ＡＣ−ＤＣコンバータ３４、ボード電源部４０の状態とＬＥＤの点灯色の関係の一例を示している。
【００３９】
以上の説明から明らかなように、外部より交換可能なボードブロック２３、２４の回路ボード３８からのデータに基づき、本体のマイコン３６を制御してボード専用のボード電源部４０を動作させるように構成したもので、本体の電源のオンオフに関係なく、電圧供給を必要とする回路ボード３８を有するボードブロック２３、２４を装着することにより、回路ボード専用のボード電源部４０を自動的にオンさせることが可能で、通常待機状態の電力を増加させることなく、多種多様な機能ボードに対応する装置を実現することができる。
【００４０】
【発明の効果】
以上の説明から明らかなように本発明によれば、入力信号回路ブロックのボードブロックを交換するのみで、ユーザーの利用目的に応じた信号入力端子構造を備えた画像表示装置を提供することができ、また本体の電源のオンオフに関係なく、電圧供給を必要とする回路ボードを有するボードブロックを装着することにより、回路ボード専用のボード電源部を自動的にオンさせることが可能で、通常待機状態の電力を増加させることなく、多種多様な機能ボードに対応する装置を実現することができる。
【図面の簡単な説明】
【図１】本発明の一実施の形態によるプラズマディスプレイ装置の内部の配置構造を示す分解斜視図
【図２】同プラズマディスプレイ装置の内部の配置構造を示す平面図
【図３】同プラズマディスプレイ装置の入力信号回路ブロック部分の構成を示す斜視図
【図４】同分解斜視図
【図５】同入力信号回路ブロックの内部の配置構造を示す平面図
【図６】同入力信号回路ブロックの側面側から見た平面図
【図７】本発明のプラズマディスプレイ装置における電源回路ブロックと入力信号回路ブロックの回路構成例を示すブロック図
【図８】同装置における表示ランプの点灯例を示す説明図
【符号の説明】
１  パネル
１３  制御回路ブロック
１４  入力信号回路ブロック
１５  電源回路ブロック
２３、２４  ボードブロック
３６  マイコン
３８  回路ボード
３９  メモリ部
４０  ボード電源部
【図１】
2004361691.tif 000003
【図２】
2004361691.tif 000004
【図３】
2004361691.tif 000005
【図４】
2004361691.tif 000006
【図５】
2004361691.tif 000007
【図６】
2004361691.tif 000008
【図７】
2004361691.tif 000009
【図８】
2004361691.tif 000010